(57)【要約】【課題】化粧パネルを外してメンテナンする際に、化粧パネルとユニット本体とを接続する電気ケーブルに簡単にアクセスでき、化粧パネルを簡単に取り外すことができる天井埋込型空気調和機を提供する。【解決手段】天井内に埋設されるユニット本体２の開口部に取り付けられる化粧パネル７の周縁に制御部から引き出された電気ケーブルと、化粧パネルに設けられた電装品類から引き出された電気ケーブルとを連結するコネクタボックス３０を設ける。【選択図】図３
2008064394.tif 000002
【特許請求の範囲】
【請求項１】
天井内に埋設されるユニット本体と、上記ユニット本体の開口面を覆い隠す化粧パネルとを有し、上記化粧パネルには、上記ユニット本体内に空気を取り込むための空気吸込口と、上記ユニット本体内で熱交換された空気を室内に向けて吹き出すための空気吹出口とが設けられているとともに、上記空気吹出口には、モータによって駆動され空気の吹出方向を変えるための風向板が回動自在に設けられている天井埋込型空気調和機において、
上記ユニット本体には、上記モータを含む各種電装品類を制御する制御部を備え、上記化粧パネルには、上記制御部から引き出されたユニット本体側電気ケーブルと、上記化粧パネルに設けられている電装品類から引き出されたパネル側電気ケーブルとを連結するコネクタボックスが設けられていることを特徴とする天井埋込型空気調和機。
【請求項２】
上記コネクタボックスは、上記空気吸込口の周縁に配置されていることを特徴とする請求項１に記載の天井埋込型空気調和機。
【請求項３】
上記ユニット本体内には、中央にターボファンが配置され、上記ターボファンの周囲を囲むよう熱交換器が配置されているとともに、上記熱交換器の下には、熱交換器で生成されたドレン水を受け止めるドレンパンが設けられており、
上記コネクタボックスには、上記ドレンパンの底面の一部が含まれており、上記ドレンパンの底面を覆い隠すことにより、箱状に形成されていることを特徴とする請求項１または２に記載の天井埋込型空気調和機。
【請求項４】
上記ターボファンは、径の異なる第１ファンと第２ファンとを軸方向に連結してなるツインファン構造を備えていることを特徴とする請求項３に記載の天井埋込型空気調和機。
【請求項５】
上記ドレンパンの中央には、上記ターボファンに対してベルマウスが同軸的に設けられており、上記コネクタボックスは、上記化粧パネルの上記空気吸込口と上記ドレンパンの上記ベルマウス取付部との間に設けられていることを特徴とする請求項３または４に記載の天井埋込型空気調和機。
【発明の詳細な説明】
【技術分野】
【０００１】
本発明は、室内ユニット本体が天井に埋設される天井埋込型空気調和機に関し、さらに詳しく言えば、ユーザが電気部品に直接触れることを防止しつつ、メンテナンス性のよい天井埋込型空気調和機を提供することにある。
【背景技術】
【０００２】
天井埋込型空気調和機は、室内ユニット本体が天井内に埋設されており、化粧パネルのみが天井面に露出する目立たない形態をしているため、商業店舗やオフィスなどでよく用いられている。
【０００３】
一般に、化粧パネルの中央には、室内ユニット本体内の空気調和機構に室内空気を取り込むための空気吸込口が設けられており、空気吸込口の周囲を取り囲むようにして、室内ユニット本体内で調温された空気を室内に送り出す空気吹出口が通常の場合、２カ所あるいは４カ所設けられている。
【０００４】
空気吹出口には、空気の吹出方向を変えるための風向板が設けられている。例えば特許文献１に示すように、風向板は、各空気吹出口を覆うように設けられており、駆動モータを介して回動可能することにより、空気の吹出方向を自在に変えられるようになっている。
【０００５】
この風向板の駆動モータは、ユニット本体側に設けられた電装品箱に設けられた制御部によって制御される。また化粧パネルには、運転動作中やフィルタ交換サインなどを表示するためのＬＥＤ表示部やリモコン受光部なども備えており、これらも制御部によって制御される。しかしながら、特許文献１に記載の天井埋込型空気調和機には、次のような問題があった。
【０００６】
すなわち、特許文献１に記載の天井埋込型空気調和機は、駆動モータを制御するための電装品箱がベルマウスの裏面側（ターボファン側）に設けられており、駆動モータを含む化粧パネルの駆動部とユニット本体側の制御部とを電気的に接続する電気ケーブルの取り回しが大変であった。
【０００７】
また、メンテナンス時には、化粧パネルに加えてベルマウスを外さなければ、電装品箱にアクセスすることはできないので、作業性が非常に悪い。また、ベルマウスの裏面側の見えない位置に電装品箱があるため、修理後にベルマウスを取り付ける際も非常に気を遣う。
【０００８】
さらには、電装品箱をベルマウスの周囲に設けることも可能であるが、そのようにした場合、電装品箱の設置スペースを確保するために、ベルマウスやドレンパンの形状を変えたり、ターボファンを小型化する必要があり、その結果、空気調和機の性能低下につながるおそれもある。
【０００９】
【特許文献１】特開平９−２４３１０９号公報
【発明の開示】
【発明が解決しようとする課題】
【００１０】
そこで、本発明は、上述した課題を解決するため、化粧パネルを外してメンテナンする際に、化粧パネルとユニット本体とを接続する電気ケーブルに簡単にアクセスでき、化粧パネルを簡単に取り外すことができる天井埋込型空気調和機を提供することにある。
【課題を解決するための手段】
【００１１】
上述した課題を解決するするため、本発明は以下に示すいくつかの特徴を備えている。請求項１に記載の発明は、天井内に埋設されるユニット本体と、上記ユニット本体の開口面を覆い隠す化粧パネルとを有し、上記化粧パネルには、上記ユニット本体内に空気を取り込むための空気吸込口と、上記ユニット本体内で熱交換された空気を室内に向けて吹き出すための空気吹出口とが設けられているとともに、上記空気吹出口には、モータによって駆動され空気の吹出方向を変えるための風向板が回動自在に設けられている天井埋込型空気調和機において、上記ユニット本体には、上記モータを含む各種電装品類を制御する制御部を備え、上記化粧パネルには、上記制御部から引き出されたユニット本体側電気ケーブルと、上記化粧パネルに設けられている電装品類から引き出されたパネル側電気ケーブルとを連結するコネクタボックスが設けられていることを特徴としている。
【００１２】
請求項２に記載の発明は、上記請求項１において、上記コネクタボックスは、上記空気吸込口の周縁に配置されていることを特徴としている。
【００１３】
請求項３に記載の発明は、上記請求項１または２において、上記ユニット本体内には、中央にターボファンが配置され、上記ターボファンの周囲を囲むよう熱交換器が配置されているとともに、上記熱交換器の下には、熱交換器で生成されたドレン水を受け止めるドレンパンが設けられており、上記コネクタボックスには、上記ドレンパンの底面の一部が含まれており、上記ドレンパンの底面を覆い隠すことにより、箱状に形成されていることを特徴としている。
【００１４】
請求項４に記載の発明は、上記請求項３において、上記ターボファンは、径の異なる第１ファンと第２ファンとを軸方向に連結してなるツインファン構造を備えていることを特徴としている。
【００１５】
請求項５に記載の発明は、上記請求項３または４において、上記ドレンパンの中央には、上記ターボファンに対してベルマウスが同軸的に設けられており、上記コネクタボックスは、上記化粧パネルの上記空気吸込口と上記ドレンパンの上記ベルマウス取付部との間に設けられていることを特徴としている。
【発明の効果】
【００１６】
請求項１に記載の発明によれば、化粧パネルの一部にコネクタボックスを併設したことにより、通常使用時にはコネクタはコネクタボックスによって覆い隠されているため、ユーザーが直接手を触れることを防止しつつ、メンテナンス時には簡単にコネクタを取り外して、化粧パネルと取り外すことができる。
【００１７】
請求項２に記載の発明によれば、上記空気吸込口の周縁に着脱自在に設けたことにより、コネクタボックスを取り外して、コネクタボックス内のコネクタを切り離すだけで、化粧パネルを簡単に取り外すことができる。
【００１８】
請求項３に記載の発明によれば、コネクタボックスの一辺をドレンパンの底部を利用して形成することにより、不要な材料費を抑えてより安価に生産することができる。
【００１９】
請求項４に記載の発明によれば、径の異なる第１ファンと第２ファンとを軸方向に連結してなるツインファン構造を備えていることにより、ベルマウスの背面空間が利用できない場合などにおいて特に有効的である。
【００２０】
請求項５に記載の発明によれば、化粧パネルの周縁とドレンパンの上記ベルマウスの取付部との間の空間を利用して、コネクタボックスを設けたことにより、空気の流れなどを妨げることなく、コネクタボックスを設置することができる。
【発明を実施するための最良の形態】
【００２１】
次に、本発明の実施形態について図面を参照しながら説明する。図１は、本発明の一実施形態に係る天井埋込型空気調和機の分解斜視図であり、図２はその要部断面図である。なお、本発明において、室外機ユニットは構成要件ではないため、その説明は省略する。
【００２２】
図１に示すように、この天井埋込型空気調和機（室内機ユニット）１は、図示しない天井に埋設されるユニット本体２を有し、同ユニット本体２の内部には、ターボファン３，熱交換器４，ドレンパン５およびベルマウス６が収納されている。ユニット本体２の下面には、ユニット本体２の下面を覆い隠す化粧パネル７が取り付けられている。
【００２３】
ユニット本体２は、金属板を箱形にプレス成形したものからなる外枠２ａと、同外枠２の内周面に沿って配置される内枠２ｂとを備えている。外枠２ａは、下面のみが開放された箱形に形成されており、その内側面に発泡樹脂の断熱材からなる内枠２ｂが貼り合わせられている。本発明において、ユニット本体２は仕様に応じて任意に変更可能である。
【００２４】
ターボファン３は、図示しない制御手段により制御される駆動モータ３ａによって回転駆動される遠心ファンからなり、この例では、図２に示すように、径の異なる第１および第２ファン３１，３２を軸方向に連結したツインファン構造を備えている。この例において、ターボファン３はツインファン構造が採用されているが、本発明において、ターボファン３の具体的な構成要件は任意である。
【００２５】
熱交換器４は、図示しない室外機ユニットの冷凍サイクル機構に接続されており、ターボファン３の周囲を取り囲むように配置されている。この例において、熱交換器２は四角形状に形成されている。なお、本発明において熱交換器３の形状は、仕様に応じて任意に変更可能である。
【００２６】
熱交換器４の下には、ドレンパン５が配置されている。ドレンパン５は、熱交換器４の形状に沿って四角形状に形成された枠体からなり、この例では合成樹脂の成型品からなる。図２に示すように、ドレンパン５は、熱交換器４で生成されたドレン水を受け取るため断面コ字状の溝５１が形成されている。
【００２７】
ドレンパン５の中央には、ベルマウス６を取り付けるための開口部５２が設けられている。ドレンパン５の四隅には、熱交換器４で熱交換された空気を空気吹出口７２へと導くための導風孔５３が、この例では４カ所設けられている。
【００２８】
本発明において、ドレンパンの具体的な形状および材質は任意であり、仕様に応じて任意に変更可能である。ドレンパン５には、溝５１に溜まったドレン水を排出するための、図示しないドレンポンプが設けられており、このドレンポンプを介してドレン水が室外に排水するようになっている。
【００２９】
次に、ベルマウス６は、合成樹脂の成型品からなり、ドレンパン５の開口部５２に沿って取り付けられている。図２を合わせて参照して、ベルマウス６は、開口部６１が外側から中央に向かうにつれて徐々に狭くなるすり鉢状に形成されており、その先端（図１では上端）は、ターボファン３に向けて差し込まれている。
【００３０】
ベルマウス６には、気温を測定するための温度センサ１０（図５参照）を収納するためのセンサ収納部６２が設けられている。センサ収納部６２は、ベルマウス６の隅の外周から中心に向かって溝状に形成された凹部からなり、これに伴い、ベルマウス６の裏側は凸状に張り出している。
【００３１】
図３は、本発明の天井埋込型空気調和機の斜視図であり、図４はその部分拡大図である。なお、図３および図４において、化粧パネル７の空気吸込口７１は、グリルとエアフィルターは取り外された状態となっている。
【００３２】
図３に示すように、ユニット本体２の側面（図３参照）には、この天井埋込型空気調和機１を制御するための制御機構が内蔵された電装品箱２０が設けられている。電装品箱２０は、各駆動部に電気ケーブルや信号線（ともに図示しない）を介して接続されている。
【００３３】
図３および図４に示すように、ベルマウス６の一部には、空気温を測定するための図示しない温度センサを内部に有する温度センサユニット１０が一体的に設けられている。この例において、温度センサユニット１０の具体的な構成は任意である。
【００３４】
図１および図２を参照して、化粧パネル７は、合成樹脂の成型品からなり、ユニット本体２の下端面を塞ぐように取り付けられている。化粧パネル７はほぼ四角形状に形成されており、中央にはユニット内部に空気を取り込むための、空気吸込口７１が形成されている。
【００３５】
空気吸込口７１は、全体が格子状のグリルによって覆われており、その内部にはエアフィルタ７３が取り付けられている。化粧パネル７には、空気吸込口７１の四方を取り囲むように空気吹出口７２が、この例では４カ所設けられている。
【００３６】
図２に示すように、各空気吹出口７２には、空気の吹出方向を変えるための風向板８が設けられている。なお、各風向板８の形状は同一である。風向板８は、断面が弓形状に形成された合成樹脂の成型品からなり、空気吹出口７２を塞ぐ長さを備えている。風向板８は、化粧パネル７の裏面に所定の回転駆動軸を中心に回動自在に支持されており、図示しない駆動モータを介して回動される。
【００３７】
化粧パネル７の隅には、天井埋込型空気調和機１の運転状態やフィルタ状態などを表示するための表示部７３が設けられている。この例において、表示部７３は、運転状態、フィルタ交換時期、タイマー運転などを表示するＬＥＤ表示部からなり、化粧パネル７の隅に設けられているが、表示部７３の位置や形状および表示要素は、仕様により任意に変更可能である。
【００３８】
化粧パネル７の空気吸込口７２の周縁には、化粧パネル７に搭載される駆動モータやＬＥＤパネルなどの各種電装品に接続された電気ケーブルと、電装品箱２０から引き出された電気ケーブルとを接続するためのコネクターボックス３０が設けられている。
【００３９】
図５および図６を併せて参照して、コネクターボックス３０は、合成樹脂の成型品からなり、内部に図示しないコネクターとケーブルＣが収納される収納部３１が形成されている。この例において、コネクタボックス３０は合成樹脂製であるが、金属製であってもよい。
【００４０】
コネクタボックス３０には、コネクタボックス３０を化粧パネル７のネジ止めするためのネジ孔３２が設けられており、このネジ孔３２を化粧パネル７のネジ止め部７４とともにネジ止めすることにより、化粧パネル７にコネクタボックス３０が固定される。
【００４１】
コネクタボックス３０は、収納部３１の開放面をドレンパン５の底面５２の一部とベルマウス５の底面の一部に向けて被せることにより、収納部３１の四方が全て覆い隠された箱状になる。これによれば、ドレンパン５の底面５２を利用することで、より安価に生産できるばかりでなく、ケーブルの引き回しも容易になる。
【００４２】
コネクタボックス３０を使用するに当たっては、化粧パネル７側から引き出された図示しない電気ケーブルと、電装品箱２０側から引き出された図示しない電気ケーブルとを、ドレンパン５の開口部５１の周縁に沿って引き回した後、コネクタボックス３０の取付範囲内でコネクタ同士を接続した後、コネクタボックス３０でコネクタ部を覆い隠すだけで簡単に保護することができる。
【００４３】
これによれば、コネクタ部がコネクタボックス３０によって覆い隠されることにより、ユーザが不用意にコネクタに触れることができないため、ヨーロッパ安全基準の１つであるＣＥマーク規格にも準拠させることができる。
【００４４】
この例において、コネクタボックス３０には、化粧パネル７側の駆動モータや表示部７３の配線類の接続部が覆い隠されているが、例えば温度センサ１０の接続部を覆い隠すようにしてもよく、保護対象は仕様に応じて任意に変更可能である。
【００４５】
また、この例において、空気吹出口７２は空気吸込口７１を囲むように４カ所設けられているが、空気吹出口７２は２カ所であってもよく、仕様に応じて任意に変更可能である。さらには、この例において、ターボファン３は、ユニット本体２の中央に１カ所配置されているが、２個のターボファン３を有するタイプの天井埋込型空気調和機に本発明のベルマウス６を適用してもよい。
【図面の簡単な説明】
【００４６】
【図１】本発明の一実施形態に係る天井埋込型空気調和機の分解斜視図。
【図２】本発明の一実施形態に係る天井埋込型空気調和機の要部断面図。
【図３】上記天井埋込型空気調和機を化粧パネル側から見た斜視図。
【図４】上記天井埋込型空気調和機の要部拡大図。
【図５】コネクタボックスの取付態様を説明する断面図。
【図６】（ａ）コネクタボックスを表側から見た斜視図，（ｂ）コネクタボックスを裏側から見た斜視図。
【符号の説明】
【００４７】
１  天井埋込型空気調和機
２  ユニット本体
３  ターボファン
３１  第１ファン
３２  第２ファン
４  熱交換器
５  ドレンパン
６  ベルマウス
７  化粧パネル
８  風向板
１０  温度センサ
２０  電装品箱
３０  コネクタボックス
【図１】
2008064394.tif 000003
【図２】
2008064394.tif 000004
【図３】
2008064394.tif 000005
【図４】
2008064394.tif 000006
【図５】
2008064394.tif 000007
【図６】
2008064394.tif 000008